(57)【特許請求の範囲】
【請求項１】
収納具本体に手摺を連結してなる手摺付き収納具であって、前記収納具本体の天端の収納棚を手つき部として使用可能とするとともに、前記手摺は、縦方向に沿って延びる棒状の縦握り部と、この縦握り部から横方向に沿って延びる棒状の横握り部とを備え、前記横握り部を、前記収納棚の壁面とは反対側の端部に壁面と平行な前後方向に沿って密着して取り付けて、前記収納棚を前記手摺の壁面取付用のブラケットとして兼用させ、且つ、前記横握り部を、前記収納棚の上面よりも上方に突出させるとともに、前記縦握り部は、前記収納棚の前記前後方向の前端部分より上方に突出して、その上端をブラケットを介して前記の壁面に固定し、更に、前記収納棚の前記前後方向の前端部を手掛け部として使用可能としてなることを特徴とする手摺付き収納具。
【発明の詳細な説明】
【０００１】
【発明の属する技術分野】
本発明は、トイレや玄関等に設置される手摺付き収納具に関する。
【０００２】
【従来の技術】
トイレの壁面に取り付けるものとして、トイレットペーパー等を収納するラック等の収納具、また便器に対する立ち座り動作を補助するための手摺がある。従来において、これら収納具や手摺は、壁面の異なる場所に別々に取り付けられていた。
【０００３】
【発明が解決しようとする課題】
しかしながら、トイレの壁面に、このような収納具や手摺を別々に取り付ける場合、その取付作業が煩雑で、しかもブラケット等の壁面取付用の部材もそれだけ必要となる。また、統一感がなくて見た目も悪く、さらにはトイレ内の有効スペースを狭めてしまうといった不具合もあった。
【０００４】
本発明は、上記の不具合を解消して、取付作業が簡単で、しかもコストダウン及び省スペース化を図ることができ、また見た目も良好な手摺付き収納具の提供を目的とする。
【０００５】
【課題を解決するための手段】
上記課題を解決するため、本発明の手摺付き収納具は、まず、収納具本体に手摺を連結してなる手摺付き収納具である。
【０００６】
そして、前記収納具本体の天端の収納棚を手つき部として使用可能とするとともに、前記手摺は、縦方向に沿って延びる棒状の縦握り部と、この縦握り部から横方向に沿って延びる棒状の横握り部とを備え、前記横握り部を、前記収納棚の壁面とは反対側の端部に壁面と平行な前後方向に沿って密着して取り付けて、前記収納棚を前記手摺の壁面取付用のブラケットとして兼用させ、且つ、前記横握り部を、前記収納棚の上面よりも上方に突出させるとともに、前記縦握り部は、前記収納棚の前記前後方向の前端部分より上方に突出して、その上端をブラケットを介して前記の壁面に固定し、更に、前記収納棚の前記前後方向の前端部を手掛け部として使用可能としてなることを特徴とする。
【０００７】
【発明の実施の形態】
以下、本発明の一実施形態を図面に基づいて詳細に説明する。図１は、本発明の一実施形態に係る手摺付き収納具の斜視図、図２は、同じくその要部分解斜視図、図３は、同じくその取付状態を示す側面図、図４は、同じくその取付状態を示す正面図である。
【０００８】
本実施形態に係るトイレ用の手摺付き収納具は、便器(１)の側方に位置するトイレの壁面(２)に取り付けられるものであって、箱形の収納具本体(３)と、便器(１)に対する立ち座り動作を補助するための棒状手摺(４)とを備えている。
【０００９】
収納具本体(３)は、対向配置された一対の側板(５)(５)と、これら側板(５)(５)の上端間に差し渡されて収納本体(３)の天端面を構成する天端収納棚(６)と、この天端収納棚(６)よりも下側で側板(５)(５)間に差し渡された３枚の中間収納棚(７)(７)…とからなる。中間収納棚(７)(７)…のうち最上段の中間収納棚(７)には、トイレットペーパー(８)を回転自在に保持するペーパーホルダ(９)が設けられている。また、このホルダ(９)付きの中間収納棚(７)の下側には、側板(５)(５)間に跨って観音開き式の扉(10)(10)が備え付けられている。なお、側板(５)(５)間に跨って取り付ける扉は、観音開き式のものに限定されるものではなく、便器横の狭い場所であるだけに横スライド開閉式のものを採用しても良い。そして、この収納具本体(３)は、使用者すなわち便器(１)に座った人から見て前後に側板(５)(５)が位置するようにして、壁面(２)に沿って設置されている。
【００１０】
棒状手摺(４)は、縦方向に延びる棒状の縦握り部(20)と、この縦握り部(20)から横方向に延びる横握り部(21)とからなる略Ｌ型に形成されている。なお、この棒状手摺(４)は、木製、合成樹脂製或いは金属製の一体成型品としたり、また別体の縦握り部(20)と横握り部(21)とを連結したものであっても良い。
【００１１】
縦握り部(20)は、その上端部分(22)がブラケット(23)を介して壁面(２)に固定され、その下端部分(24)が湾曲して前方及び壁面(２)とは反対側の側方に膨出した状態で、横握り部(21)の前端部に連結されている。すなわち、縦握り部(20)における横握り部(21)との連結部分からやや上方にかけてが、前方及び側方に膨出した状態となっている。
【００１２】
横握り部(21)は、壁面(２)と平行な前後方向に水平に配され、天端収納棚(６)の壁面(２)とは反対側の円弧状端面に沿って取り付けられている。図５は、横握り部(21)の取付状態を示しており、天端収納棚(６)の内部に前後方向に間隔をあけて形成された複数のビス挿入用孔(25)(25)…に挿入したビス(26)(26)…を、横握り部(21)に形成されている複数のビス孔(27)(27)…にねじ込むことによって、横握り部(21)が天端収納棚(６)に密着して取り付けられている。この横握り部(21)の取付状態において、横握り部(21)は、天端収納棚(６)の上面よりも上方に突出しているので、天端収納棚(６)上の載置物が転がり落ちるのを防止するストッパーとしても機能する。
【００１３】
そして、天端収納棚(６)は、その壁面(２)側の端部に沿って形成された横溝(30)に、壁面(２)にビス(32)(32)…止めした横材(33)を嵌め込むとともに、下方からの複数のビス(34)(34)…によって壁面(２)側の端部を横材(33)に固定することで、壁面(２)に取り付けられるようになっている。すなわち、天端収納棚(６)は、棒状手摺(４)を壁面(２)に取り付けるためのブラケットとして兼用されている。
【００１４】
この手摺付き収納具においては、天端収納棚(６)を手つき部として使用することができ、また天端収納棚(６)の前端部を手掛け部(40)として使用することもできる。なお、この天端収納棚(６)の前端部は、手を掛け易いように前方に突出しており、また前端部すなわち手掛け部(40)と縦握り部(20)との間には、十分なゆとりをもって手を抜き差しすることができるスペースが確保されている。これは、縦握り部(20)における横握り部(21)との連結部分からやや上方にかけてを上記のように前方及び側方に膨出させることによって、図３に示すような手掛け部(40)の側方を拡げる空間(50)、図４に示すような手掛け部(40)の上方を拡げる空間(51)を形成しているからである。
【００１５】
従って、上記手摺付き収納具においては、図３に示すように、縦握り部(20)や横握り部(21)を握るといった使い方だけでなく、手をつく、手を掛けるといった３種類の使い方が可能となっている。
【００１６】
なお、本発明は、上記実施形態に限定されるものではない。例えば、本発明の手摺付き収納具は、トイレ用に限定されるものではなく、玄関用等として適用しても良い。
【００１７】
【発明の効果】
以上の説明から明らかなように、本発明の手摺付き収納具は、収納棚を手摺のブラケットとして兼用しているので、収納棚を壁面に固定することによって、収納具本体と手摺の両方を壁面に対して取り付けることができ、従来のように収納具と手摺とを別々に取り付けるときと比べて、その取付作業を簡単に行うことができる。しかも、このような部材の共有化によって、手摺の壁面取付用のブラケットの数を少なくして、コストダウンを図ることができる。さらに、手摺と収納具本体とが一体となって取り付けられるので、省スペース化を実現できるとともに、統一感があって見た目にも良好である。
【００１８】
また、収納棚を手つき部として使用することによって、バリエーションに富んだ使い方ができ、手摺としての機能を充実させて使用性の向上を図ることができる。
【００１９】
さらに、手摺の横握り部を、収納棚の壁面とは反対側の端部に沿って取り付けることで、手摺を収納棚に一体感をもたせて強固に取り付けることができ、この横握り部を、収納棚の上面よりも上方に突出させることで、収納棚上の載置物が転がり落ちるのを防止するストッパーとして機能させることができる。
【図面の簡単な説明】
【図１】本発明の一実施形態に係る手摺付き収納具の斜視図である。
【図２】同じくその要部分解斜視図である。
【図３】同じくその取付状態を示す側面図である。
【図４】同じくその取付状態を示す正面図である。
【図５】横握り部の取付状態を示す縦断面図である。
【符号の説明】
(３)  収納具本体
(４)  手摺
(６)  収納棚
(20)  縦握り部
(21)  横握り部
【図１】
0003647662.tif 000002
【図２】
0003647662.tif 000003
【図３】
0003647662.tif 000004
【図４】
0003647662.tif 000005
【図５】
0003647662.tif 000006